(57)【特許請求の範囲】
【請求項１】
複数の部屋の各部屋毎にカラオケ装置が備えられており、各カラオケ装置間がＬＡＮ回線により接続された通信カラオケシステムにおいて、
前記各カラオケ装置は、
曲データを再生する曲データ再生手段と、ＲＡＭと、ＣＰＵと、モニタと、前記複数の部屋の中から特定の部屋を１つ指定する指定手段と、イーサネットアドレスが記憶されたＬＡＮボードとをそれぞれ備えており、さらに、前記各カラオケ装置の各ＬＡＮボードは前記ＬＡＮ回線により接続されており、
前記ＲＡＭは、
前記曲データ再生手段による再生済の曲名を示す再生済曲名データと、前記曲データ再生手段により再生中の曲名を示す再生中曲名データと、前記曲データ再生手段による再生が予約されている曲名を示す予約曲名データとを記憶し、
前記ＲＡＭに記憶されている前記再生済曲名データ、再生中曲名データおよび予約曲名データの送信要求を、前記指定手段により指定された部屋のカラオケ装置に対して行う側のカラオケ装置を要求側とし、前記送信要求に応答して前記再生済曲名データ、再生中曲名データおよび予約曲名データを前記要求側へ送信する側のカラオケ装置を応答側とした場合に、前記各カラオケ装置は、前記要求側および応答側のいずれとしても機能するように構成されており、
前記ＣＰＵは、
当該ＣＰＵが備えられたカラオケ装置が前記要求側として機能する場合は、前記応答側のカラオケ装置の前記ＲＡＭに記憶されている前記再生済曲名データ、再生中曲名データおよび予約曲名データの送信要求を示す要求信号であって前記要求側のイーサネットアドレスおよび前記応答側のイーサネットアドレスを含む要求信号を前記ＬＡＮ回線を介して前記応答側のカラオケ装置へ送信する要求側送信処理と、
前記要求信号を受信した応答側のカラオケ装置から送信された応答信号に含まれる前記再生済曲名データ、再生中曲名データおよび予約曲名データを前記ＬＡＮ回線を介して受信する要求側受信処理と、
前記要求側受信処理により受信した応答信号に含まれる前記再生済曲名データ、再生中曲名データおよび予約曲名データに対応する再生済曲名、再生中曲名および予約曲名を、前記要求側のカラオケ装置に備えられた前記モニタに表示する表示処理と、を実行し、
前記応答側として機能する場合は、前記要求側から送信された前記要求信号を受信する応答側受信処理と、
前記応答側受信処理により前記要求信号を受信した場合に、前記応答側のカラオケ装置の前記ＲＡＭに記憶されている前記再生済曲名データ、再生中曲名データおよび予約曲名データと、前記受信した要求信号に含まれる前記要求側のイーサネットアドレスとを含む前記応答信号を前記ＬＡＮ回線を介して前記要求側へ送信する応答側送信処理と、を実行し、
前記要求側として機能するカラオケ装置に備えられたＣＰＵは、前記応答側として機能するカラオケ装置に備えられたＣＰＵが前記応答側送信処理を実行して送信した前記応答信号を前記要求側受信処理によって受信し、その受信した応答信号に含まれる前記再生済曲名データ、再生中曲名データおよび予約曲名データに対応する再生済曲名、再生中曲名および予約曲名を前記表示処理によって前記要求側のカラオケ装置に備えられた前記モニタに表示することを特徴とする通信カラオケシステム。
【発明の詳細な説明】
【０００１】
【発明の属する技術分野】
この発明は、通信カラオケシステムであって、カラオケボックスやレジャーホテルなどの部屋に設置される通信カラオケシステムとして好適なものに関する。
【０００２】
【従来の技術】
従来、上記通信カラオケシステムとしては、たとえば、曲データを保有するサーバーとカラオケ装置とが通信回線により接続されており、カラオケ装置がサーバーから曲データを受信して再生する通信カラオケシステムが知られている。
上記曲データは、曲名を示す曲名データ、曲の演奏部分を示すＭＩＤＩ(Musical Instrument Digital Interface)データ、歌詞テロップを示す歌詞テロップデータ、曲のジャンルを特定するジャンルデータなどから構成される。
上記カラオケ装置は、曲データの再生を予約することができ、予約された曲データは、カラオケ装置に備えられた記憶装置に記憶される。そして、どの曲が予約されているかをカラオケ装置に備えられたモニタテレビに表示して確認することができる。
【０００３】
上記ＭＩＤＩデータは、上記カラオケ装置に備えられたＭＩＤＩ音源、アンプおよびスピーカなどにより再生される。また、歌詞テロップデータは、歌詞テロップとしてモニタテレビに表示され、歌詞テロップの背景に表示される背景映像は、カラオケ装置に備えられたＣＤ−ＲＯＭプレーヤにより、上記ジャンルデータにより特定されるジャンルの背景映像の中から選択されてモニタテレビに表示される。
【０００４】
【発明が解決しようとする課題】
ところで、上記従来のものでは、再生が予約されている曲の曲名を知ることはできるが、既に再生された曲の曲名を知ることができないという問題がある。
特に、カラオケボックスなどにおいて複数人でカラオケを行う場合、後から遅れて入室した者は、それまでにどのような曲が歌われたかを知ることができないため、既に歌われた曲と同じ曲を歌ってしまう場合がある。
また、複数の部屋に分かれてカラオケを行う場合に、他の部屋から移動して来た者が、今までその部屋でどのような曲が歌われたかを知ることができないため、その部屋で既に歌われた曲と同じ曲を歌ってしまう場合がある。
【０００５】
そこで、本発明は、複数の部屋に分かれてカラオケを行う場合に、他の部屋から移動して来た者が、今までその部屋でどのような曲が歌われたかを知ることができる通信カラオケシステムの実現を目的とする。
【０００６】
【課題を解決するための手段】
本発明は、上記目的を達成するため、請求項１に記載の発明では、複数の部屋の各部屋毎にカラオケ装置が備えられており、各カラオケ装置間がＬＡＮ回線により接続された通信カラオケシステムにおいて、前記各カラオケ装置は、曲データを再生する曲データ再生手段と、ＲＡＭと、ＣＰＵと、モニタと、前記複数の部屋の中から特定の部屋を１つ指定する指定手段と、イーサネットアドレスが記憶されたＬＡＮボードとをそれぞれ備えており、さらに、前記各カラオケ装置の各ＬＡＮボードは前記ＬＡＮ回線により接続されており、前記ＲＡＭは、前記曲データ再生手段による再生済の曲名を示す再生済曲名データと、前記曲データ再生手段により再生中の曲名を示す再生中曲名データと、前記曲データ再生手段による再生が予約されている曲名を示す予約曲名データとを記憶し、前記ＲＡＭに記憶されている前記再生済曲名データ、再生中曲名データおよび予約曲名データの送信要求を、前記指定手段により指定された部屋のカラオケ装置に対して行う側のカラオケ装置を要求側とし、前記送信要求に応答して前記再生済曲名データ、再生中曲名データおよび予約曲名データを前記要求側へ送信する側のカラオケ装置を応答側とした場合に、前記各カラオケ装置は、前記要求側および応答側のいずれとしても機能するように構成されており、前記ＣＰＵは、当該ＣＰＵが備えられたカラオケ装置が前記要求側として機能する場合は、前記応答側のカラオケ装置の前記ＲＡＭに記憶されている前記再生済曲名データ、再生中曲名データおよび予約曲名データの送信要求を示す要求信号であって前記要求側のイーサネットアドレスおよび前記応答側のイーサネットアドレスを含む要求信号を前記ＬＡＮ回線を介して前記応答側のカラオケ装置へ送信する要求側送信処理と、前記要求信号を受信した応答側のカラオケ装置から送信された応答信号に含まれる前記再生済曲名データ、再生中曲名データおよび予約曲名データを前記ＬＡＮ回線を介して受信する要求側受信処理と、前記要求側受信処理により受信した応答信号に含まれる前記再生済曲名データ、再生中曲名データおよび予約曲名データに対応する再生済曲名、再生中曲名および予約曲名を、前記要求側のカラオケ装置に備えられた前記モニタに表示する表示処理と、を実行し、前記応答側として機能する場合は、前記要求側から送信された前記要求信号を受信する応答側受信処理と、前記応答側受信処理により前記要求信号を受信した場合に、前記応答側のカラオケ装置の前記ＲＡＭに記憶されている前記再生済曲名データ、再生中曲名データおよび予約曲名データと、前記受信した要求信号に含まれる前記要求側のイーサネットアドレスとを含む前記応答信号を前記ＬＡＮ回線を介して前記要求側へ送信する応答側送信処理と、を実行し、前記要求側として機能するカラオケ装置に備えられたＣＰＵは、前記応答側として機能するカラオケ装置に備えられたＣＰＵが前記応答側送信処理を実行して送信した前記応答信号を前記要求側受信処理によって受信し、その受信した応答信号に含まれる前記再生済曲名データ、再生中曲名データおよび予約曲名データに対応する再生済曲名、再生中曲名および予約曲名を前記表示処理によって前記要求側のカラオケ装置に備えられた前記モニタに表示するという技術的手段を採用する。
【０００７】
【０００８】
【０００９】
【００１０】
【作用】
請求項１に記載の発明では、他の部屋のカラオケ装置において、既に再生された曲、現在再生中の曲および再生が予約された曲それぞれの曲名をモニタに表示することができる。
【００１１】
したがって、自分の部屋から他の部屋へ移動する前に、自分の部屋に居ながらにして予め他の部屋で歌われた曲の曲名を知ることができるため、他の部屋へ移動して歌う場合であっても、その移動した部屋で既に歌われた曲と同じ曲を歌ってしまう事態を回避できる。また、移動した部屋で既に予約されている曲の曲名をも予め知ることができるため、これから歌おうとしている者と同じ曲を先に歌ってしまう事態も回避できる。さらに、各部屋で重複した曲が歌われることをなくすことができるため、曲名の異なる曲を従来より多く歌うことができる。
【００１２】
【００１３】
【００１４】
【００１５】
【発明の実施の形態】
以下、本発明の通信カラオケシステムの実施形態について図を参照して説明する。
なお、以下の実施形態では、通信カラオケシステムの一例として、曲データを保有するサーバーとカラオケ装置とが通信回線により接続されており、カラオケ装置がサーバーから曲データを受信する通信カラオケシステムを代表に説明する。
【００１６】
まず、本発明第１実施形態の通信カラオケシステムの主要構成について図１および図２を参照して説明する。
図１は、カラオケ装置が設置された複数の部屋を有する、いわゆるカラオケボックスの主要構成をブロック図で示す説明図であり、図２は、カラオケ装置の主要構成の外観を示す説明図である。
図１に示すように、カラオケボックス１は、曲データを受信して再生するカラオケ装置１０が設置されたＡないしＪまでの１０室の部屋２，２・・と、各カラオケ装置１０へ曲データを送信するサーバー８が設置された管理室４とを有する。
【００１７】
各部屋のカラオケ装置１０には、ＬＡＮボード５０が備えられており、これらＬＡＮボード５０は、ＬＡＮ回線７によりＨＵＢ３を介してサーバー８に備えられたＬＡＮボード８ｂと接続されている。また、サーバー８には、各カラオケ装置１０との通信制御などを行うＣＰＵ８ａと、曲データを保存するハードディスクドライブユニット（以下、ＨＤＤと略称する）８ｄとが備えられている。
つまり、サーバー８は、各カラオケ装置１０からＬＡＮ回線７を介して送信されるリクエスト信号を受信し、そのリクエスト信号により示される選曲番号の曲データをＨＤＤ８ｄから読出してＬＡＮ回線７を介してカラオケ装置１０へ送信する。
【００１８】
また、サーバー８は、通信用モデム８ｃを介して電話回線５ｃにより、各カラオケボックス１のサーバー８へ曲データを送信する、各地域に設置されたサブホストコンピュータ５ａと接続されており、このサブホストコンピュータ５ａは、ＩＳＤＮ（国際標準の通信規格を持った総合デジタル通信網を意味するIntegrated Services Digital Network の略）回線５ｂにより、各地域のサブホストコンピュータ５ａへ曲データを送信するホストコンピュータ５と接続されている。
つまり、曲データは、ホストコンピュータ５から各地域のサブホストコンピュータ５ａへ送信され、サブホストコンピュータ５ａから、そのサブホストコンピュータ５ａが設置されている地域の各サーバー８へ送信される。
【００１９】
次に、カラオケ装置１０の主要構成について、その外観を示す図２を参照して説明する。
図２に示すように、カラオケ装置１０には、歌詞を示す歌詞テロップ、歌詞テロップの背景に表示する背景映像、選曲番号を示す映像などをＣＲＴに表示するモニタテレビ（以下、モニタと略称する）１３と、歌い手用のモニタ１４とが備えられている。
【００２０】
また、カラオケ装置１０には、楽音により構成される楽曲たるカラオケ用の曲（以下、曲と略称する）の選曲、および曲の再生の予約などの選曲制御、選曲された曲の送信要求を示すリクエスト信号のサーバー８への送信、およびリクエスト信号により示される曲に対応する曲データの受信などの通信制御を行う制御装置（コマンダ）２０が備えられている。また、制御装置２０は、既に再生が終了した曲の曲名（以下、再生済曲名と略称する）、現在再生中の曲の曲名（以下、再生中曲名と略称する）、および再生が予約された曲の曲名（以下、予約曲名と略称する）、ならびに他の部屋のカラオケ装置１０の再生済曲名、再生中曲名および予約曲名のモニタ１３，１４への表示などの曲名表示制御を行う。
【００２１】
さらに、カラオケ装置１０には、マイクロフォン１７，１８から入力される音声と曲とのミキシング、音声と曲との音量バランス、エコー調整、ディレイ調整、ミキシング信号の増幅、再生される曲の音程制御（キーコントロール）、高音、低音の制御（トーンコントロール）などを行うアンプ１６と、このアンプ１６から出力される増幅信号を音として再生するフロアータイプの１組のスピーカ１１，１１と、天井吊下げ用の１組のスピーカ１２，１２と、制御装置２０を遠隔操作する送信器６０とが備えられている。
【００２２】
次に、制御装置２０の装備について図３を参照して説明する。
図３（Ａ）は、制御装置２０の前面パネルの説明図、同図（Ｂ）は、制御装置２０の背面パネルの説明図である。
図３（Ａ）に示すように、制御装置２０の前面パネルには、選曲する曲の選曲番号の入力などを行うための０〜９のボタンからなるテンキー２１と、選曲を確定するための選曲ボタン２２とが設けられており、テンキー２１の上には、選曲された曲の選曲番号を６桁の数字でＬＥＤ表示する曲番号表示体２３が設けられている。
【００２３】
また、曲番号表示体２３の左には、再生が予約されている曲の数をＬＥＤ表示する予約曲数表示体２４が設けられており、その下には、予約の取消を行うための取消しボタン２５と、演奏を停止させる演奏停止ボタン２６と、歌っている途中で最初から歌い直すための歌い直しボタン２７と、予約曲の間に割り込んで予約するための割り込みボタン２８とが設けられている。さらに、前面パネルの左上には、送信器６０から送信される光信号を受光する受光部３８が設けられており、左下には、制御装置２０の電源を立ち上げる電源ボタン３９が設けられている。
【００２４】
また、テンキー２１の右には、キーを低くするフラットキー２９と、キーを標準にする標準キー３０と、キーを高くするシャープキー３１とが設けられており、それらキーの下には、ボーカルのメロディーラインの音量を設定するボーカルボタン３２と、２コーラス目までを再生する２コーラスカットボタン３３と、曲の後奏部分をカットする後奏カットボタン３４とが設けられている。
さらに、それらボタンの下には、カラオケとＢＧＭ用とを切り替えるカラオケ切替ボタン３５と、ＬＡＮ回線７を介して入力されるデータを曲データから有線放送、テレビ放送などに切り替える入力切替ボタン３６と、モニタ１３，１４の表示をカラオケボックスなどが提供しているサービス情報の表示に切り替えるサービスボタン３７とが設けられている。
【００２５】
また、図３（Ｂ）に示すように、制御装置２０の背面パネルには、ＬＡＮ回線７を接続する通信端子４０が設けられており、この通信端子４０の右方には、アンプ１６の音声入力端子（図示省略）と接続される音声出力端子４１と、モニタ１３の映像入力端子（図示省略）と接続される映像出力端子４２と、モニタ１４の映像入力端子（図示省略）と接続される映像出力端子４３とが設けられている。
【００２６】
次に、上記制御装置２０の制御系の構成について図４および図６（Ａ）を参照して説明する。
図４は、制御装置２０の制御系の主要構成をブロックで示す説明図であり、図６（Ａ）は、曲データの主要構成をブロックで示す説明図である。
最初に、曲データの主要構成について図６（Ａ）を参照して説明する。
曲データ８０は、曲名を示す曲名データ８１、作詞者を示す作詞者データ８２、作曲者を示す作曲者データ８３、曲の演奏部分を示すＭＩＤＩデータ８４、歌詞テロップ（字幕）を示す歌詞テロップデータ８５、課金するタイミングを示す課金タイミングデータ８６、および曲のジャンルを示すジャンルデータ８７などから構成される。
【００２７】
次に、制御装置２０の制御系の主要構成について図４を参照して説明する。
制御装置２０には、上記各種制御をプログラムにしたがって実行するＣＰＵ４４が備えられている。ＣＰＵ４４には、送信器６０から送信されるデータ、選曲された曲の曲番号を示す曲番号データ、予約された曲の曲番号データなどを一時保存するためのＲＡＭ４５と、ＣＰＵ４４により実行されるプログラムなどが記憶されたＲＯＭ４６と、再生済曲名を示す再生済曲名データ、再生中曲名を示す再生中曲名データ、および予約曲名を示す予約曲名データを記憶する曲名情報記憶手段たるＲＡＭ４７とが接続されている。
【００２８】
また、ＣＰＵ４４には、サーバー８から送信される曲データ８０を受信するためのＬＡＮボード５０と、このＬＡＮボード５０により受信された曲データ８０を一時保存するためのＲＡＭ４９と、Ｂ室ないしＪ室のカラオケ装置１０の制御装置２０に設けられたＬＡＮボード５０の通信制御用ＩＣに記憶されたイーサネットアドレスが記憶されたＥＥＰＲＯＭ４８とが接続されている。
【００２９】
さらに、ＣＰＵ４４には、タイマ５３のカウントにしたがって曲データ８０に含まれるＭＩＤＩデータ８４をＭＩＤＩ音源５４へ書き込む制御を行うシーケンサ５２と、ＭＩＤＩ音源５４から出力される音源信号を入力してアンプ１６により増幅可能な信号に変換する音声制御回路５１が接続されている。また、ＣＰＵ４４には、曲データ８０に含まれるジャンルデータ８７により特定されるジャンルの背景映像を示す背景映像データを読出すＣＤ−ＲＯＭプレーヤ６と、このＣＤ−ＲＯＭプレーヤ６から読出された背景映像データ、およびＲＡＭ４９から読出された曲データ８０に含まれる歌詞テロップデータ８５を入力し、モニタ１３の表示画面を説明する図１３に示すように、背景映像２００中に歌詞テロップ２０２がスーパーインポーズされた映像を作成したり、曲の進行にしたがって歌詞テロップ２０２の色を変えたりする映像制御を行う映像制御回路５４とが接続されている。
【００３０】
また、ＣＰＵ４４には、受光部３８により受光された光信号をデジタル信号に変換する変換回路５５と、制御装置２０の前面パネルに設けられた各種ボタンを押したときに点灯するＬＥＤ、曲番号表示体２３および予約曲数表示体２４へ表示信号を出力する表示回路５６と、上記各種ボタンを押したときに発生するスイッチング信号を入力する入力回路５７とが接続されている。
ところで、音声制御回路５１、シーケンサ５２、タイマ５３、音声出力端子４１、アンプ１６、スピーカ１１，１１およびスピーカ１２，１２が、本発明の曲データ再生手段に相当する。
【００３１】
次に、送信器６０の構成について図５および図１２を参照して説明する。
図５は、送信器６０の外観を示す説明図であり、図１２は、モニタ１３に表示された曲名映像および歌詞テロップを示す説明図である。
図５に示すように、送信器６０の上方には、曲番号をバックライト付きの液晶で表示する曲番号表示部６１が設けられており、その下には、制御装置２０のカラオケ切替ボタン３５と同じ作用をするカラオケ切替ボタン６２と、制御装置２０の入力切替ボタン３６と同じ作用をする外部映像ボタン６３と、サーバー８が用意しているテレビゲームを行う状態に切替えるゲームボタン６４とが設けられている。
【００３２】
また、それらボタンの下には、曲間や曲の再生終了後に拍手や歓声の音を再生するように設定するための拍手ボタン６５と、制御装置２０と同じフラットキー６６と、シャープキー６７とが設けられており、それらの下には、制御装置２０と同じテンキー６８と、選曲ボタン６９と、演奏停止ボタン７０と、歌い直しボタン７１と、取り消しボタン７２と、割り込みボタン７３とが設けられている。さらに、割り込みボタン７３の右には、ボーカルメロディーの音量を小さくするマイナスボタン７４と、音量を大きくするプラスボタン７５とが設けられている。
【００３３】
さらに、割り込みボタン７３の下には、再生済曲名、再生中曲名および予約曲名を示す曲名映像２０４（図１２参照）をモニタ１３，１４に表示させるための曲名表示ＯＮボタン７６と、表示された曲名を消すための曲名表示ＯＦＦボタン７７とが設けられている。また、それらボタンの右には、モニタ１３，１４に表示された曲名映像２０４を画面上方にスクロールさせるロールアップボタン７８ａと、画面下方にスクロールさせるロールダウンボタン７８ｂとが設けられている。さらに、それらボタンの下には、ＡないしＪ室に設置されたカラオケ装置１０が有する制御装置２０のＲＡＭ４７に記憶されている再生済曲名データ、再生中曲名データおよび予約曲名データを読出してモニタ１３，１４に表示させる部屋指定ボタン７９が設けられている。
【００３４】
次に、カラオケ装置１０の一連の動作について図７ないし図１０を参照して説明する。
図７（Ａ）は、サーバー８に備えられたＨＤＤ８ｄの記憶内容を示す説明図であり、同図（Ｂ）は、制御装置２０に備えられたＲＡＭ４７の記憶内容を示す説明図である。図８は、制御装置２０に備えられたＣＰＵ４４により実行される処理内容を示すフローチャートであり、図９は、図８のステップ５２０で実行される曲名データ書換処理の内容を示すフローチャートである。図１０は、図８のステップ１６０で実行される曲名表示処理の内容を示すフローチャートである。
【００３５】
図７（Ａ）に示すように、サーバー８に備えられたＨＤＤ８ｄには、複数の曲データ８０が曲番号順に記憶されている。また、同図（Ｂ）に示すように、制御装置２０に備えられたＲＡＭ４７には、予約曲名データ４７ａ、再生中曲名データ４７ｂおよび再生済曲名データ４７ｃが記憶されている。各曲名データは、曲番号および曲名からなり、予約曲名データ４７ａは予約された順に、再生済曲名データ４７ｃは再生された順にそれぞれ記憶されている。
つまり、時系列に記憶されている。
【００３６】
まず、カラオケ装置１０の利用者が、制御装置２０の電源ボタン３９を押して制御装置２０の電源を立ち上げると、それに連動して、アンプ１６およびモニタ１３，１４の電源が立ち上がる。そして、歌いたい曲の曲番号を送信器６０のテンキー６８により入力すると（ステップ１００）、その押す毎にテンキー６８に対応する数字が曲番号表示部６１，２３に順次表示される。
続いて、最後の数字のテンキー６８を押してから選曲ボタン６９を押すと、選曲が終了したと判定され（ステップ１１０）、その曲番号を示す曲番号データがＲＡＭ４５に一時保存された後（ステップ１２０）、その曲番号に対応する曲データ８０の送信を要求するリクエスト信号がＬＡＮ回線７を介してサーバー８へ送信される（ステップ１３０）。
【００３７】
そして、サーバー８は、自己のＨＤＤ８ｄから上記リクエスト信号に示される曲番号に対応する曲データ８０を検索して読出し、その読出された曲データ８０は、ＬＡＮ回線７を介して制御装置２０により受信され（ステップ１４０）、ＲＡＭ４９に一時格納される（ステップ１５０）。続いて、ＲＡＭ４９から曲データ８０が読出され（ステップ１６０）、曲データ８０に含まれる曲名データ８１、作詞者データ８２および作曲者データ８３は、映像制御回路５４により、それぞれ曲名映像、作詞者映像および作曲者映像を表示するための映像信号に変換され、モニタ１３，１４に曲名映像、作詞者映像および作曲者映像からなるタイトル画が表示される（ステップ１７０）。
【００３８】
続いて、ＣＤ−ＲＯＭプレーヤ６により、曲データ８０に含まれるジャンルデータ８７に対応するジャンルの背景映像データの中から、１つの背景映像データが選択され、背景映像を示す背景映像信号として再生される。この背景映像信号は、映像制御回路５４によりモニタ１３，１４に表示可能な背景映像信号に変換され、図１３に示すように、モニタ１３，１４に背景映像２００として表示される（ステップ１７０）。また、曲データ８０に含まれる歌詞テロップデータ８５は、映像制御回路５４に入力され、モニタ１３，１４に表示可能な歌詞テロップ信号に変換され、図１３に示すように、モニタ１３，１４に歌詞テロップ２０２として表示される（ステップ１７０）。
つまり、図１３に示すように、モニタ１３，１４には、背景映像２００の中に歌詞テロップ２０２がスーパーインポーズされた映像が表示される。
【００３９】
一方、曲データ８０に含まれるＭＩＤＩデータ８４は、シーケンサ５２に取り込まれ、タイマ５３のカウントにしたがってＭＩＤＩ音源５４に書き込まれる。そして、ＭＩＤＩ音源５４から出力される音源信号は、音声制御回路５１へ出力され、アンプ１６により増幅可能な音楽信号に変換される。また、マイクロフォン１７，１８から入力された音声信号は、音声制御回路５１において上記音楽信号とミキシングされ、このミキシングされたミキシング信号は、音声出力端子４１からアンプ１６の音声入力端子へ出力されるとともに、増幅された後にスピーカ１１，１１およびスピーカ１２，１２へ出力され、両スピーカによって再生される（ステップ１７０）。
つまり、利用者は、自分の選んだ曲をモニタ１３，１４の画面に映し出された背景映像２００および歌詞テロップ２０２を見ながらマイクロフォン１７，１８を通して歌う（カラオケする）ことができる。
【００４０】
続いて、上記再生されている曲の曲名データをＲＡＭ４７に記憶するための曲名データ記憶処理が実行される（ステップ１８０）。この処理は、図９に示すフローチャートにしたがって実行される。
まず、曲データ８０の再生が開始されてから一定時間（たとえば、２０秒）、経過し、課金を行う課金タイミングになると、つまり、曲の再生が行われたと判定されると（ステップ１８２）、ＲＡＭ４９に記憶されている曲名データ８１が再生中曲名データ４７ｂとして読み出される（ステップ１８４）。
【００４１】
続いて、ＲＡＭ４７に記憶されている再生済曲名データ４７ｃの数ＮがＮ１に達したかが判定され（ステップ１８６）、Ｎ１に達していない場合には、上記再生中曲名データ４７ｂが、再生済曲名データ４７ｃとしてＲＡＭ４７に記憶される（ステップ１８７）。
つまり、再生中の曲名および予約されている曲名ばかりでなく、再生済の曲名をも記憶することができる。
一方、ステップ１８６において、Ｎ１に達した場合、つまり、歌った曲数ＮがＮ１曲に達した場合には、ＲＡＭ４７に記憶されている再生済曲名データ４７ｃのうち、最も古く記憶された再生済曲名データ４７ｃが、上記再生中曲名データ４７ｂに書換えられる（ステップ１８８）。たとえば、Ｎ＝２０であるとすると、最も古く記憶された２０曲前の再生済曲名データ４７ｃが、上記再生中曲名データ４７ｂに書換えられる。
【００４２】
次に、ＲＡＭ４７に記憶されている曲名データにより示される曲名をモニタ１３，１４に表示する曲名表示処理が実行される（ステップ１９０）。この処理は、図１０に示すフローチャートにしたがって実行される。
まず、送信器６０の曲名表示ＯＮボタン７６が押されると（ステップ１９２）、ＲＡＭ４７から予約曲名データ４７ａ、再生中曲名データ４７ｂおよび再生済曲名データ４７ｃが読出され（ステップ１９４）、これら読出された曲名データは、映像制御回路５４により、モニタ１３，１４に曲名映像として表示される（ステップ１９６）。たとえば、モニタ１３の表示画面を説明する図１２に示すように、曲名映像２０４が画面の上部に表示され、歌詞テロップ２０６が画面の下部に表示される。
【００４３】
ここで、送信器６０のロールアップボタン７８ａを１回押すと、図１２（Ａ）に示す画面が上方にスクロールされ、同図（Ｂ）に示すように、２番目に予約されている曲の曲名が表示される。また、図１２（Ｂ）に示す状態から送信器６０のロールダウンボタン７８ｂを１回押すと、同図（Ａ）に示すように、元の画面に戻る。さらに、ロールアップボタン７８ａ、または、ロールダウンボタン７８ｂを押し続けることにより、その他の演奏済曲名および予約曲名を表示することができる。
【００４４】
続いて、送信器６０の曲名表示ＯＦＦボタン７７を押すと（ステップ１９８）、モニタ１３，１４に表示されている曲名映像２０４が消える（ステップ２００）。
そして、曲データ８０の再生が終了し（ステップ５００）、予約された曲番号データがＲＡＭ４５に記憶されている場合には（ステップ５１０）、その曲番号データが読出され（ステップ５２０）、上記ステップ１００ないしステップ５００が実行され、次に予約された曲を再生してカラオケすることができる。
【００４５】
以上のように、本第１実施形態のカラオケ装置１０によれば、既に再生が終了した曲の曲名をＲＡＭ４７に記憶しておき、送信器６０の曲名表示ＯＮボタン７６を押すことにより、モニタ１３，１４に表示することができる。
したがって、Ａ室に後から遅れて入室した者は、それまでにどのような曲が歌われたかを知ることができることから、既に歌われた曲と同じ曲を歌ってしまう事態を回避できるため、折角盛り上がっていた場の雰囲気に水が差されることもない。
なお、上記第１実施形態では、課金タイミングになったときに、曲の再生が行われたと判定する構成を採用するが、課金タイミングより前の所定時間、または、後の所定時間で判定する構成にすることもできる。
【００４６】
次に、本発明第２実施形態のカラオケ装置について図１１を参照して説明する。
図１１は、Ａ室のカラオケ装置１０（以下、カラオケ装置Ａと略称する）に備えられたＣＰＵ４４と、Ｂ室のカラオケ装置１０（以下、カラオケ装置Ｂと略称する）に備えられたＣＰＵ４４との間で行われる通信制御の内容を示すフローチャートである。
本第２実施形態のカラオケ装置は、他の部屋で歌われた曲の曲名をモニタ１３，１４に表示して知ることができることを特徴とする。
なお、ここでは、Ａ室のモニタ１３，１４に、Ｂ室で歌われた曲の曲名を表示する場合を説明する。また、以下に説明する処理は、図８に示したステップ１９０において実行されるものであり、ステップ１００ないしステップ１８０、およびステップ５００ないしステップ５２０は、共通のステップであるため、説明を省略する。
【００４７】
まず、送信器６０の部屋指定ボタン７９のＢボタンを押すと（ステップ３００）、カラオケ装置Ａの制御装置２０から、曲名データの送信を要求する要求信号が、ＬＡＮ回線７を介してカラオケ装置Ｂの制御装置２０へ送信される（ステップ３１０）。この要求信号の構成を図６（Ｂ）に示す。要求信号９０は、送信先であるカラオケ装置Ｂのイーサネットアドレス９２と、送信元であるカラオケ装置Ａのイーサネットアドレス９４と、要求信号であることを示す要求信号データ９６とから構成される。
【００４８】
続いて、上記要求信号９０は、カラオケ装置Ｂの制御装置２０により受信され（ステップ４００）、カラオケ装置Ｂの制御装置２０に備えられたＣＰＵ４４は、自己のＲＡＭ４７から予約曲名データ４７ａ、再生中曲名データ４７ｂおよび再生済曲名データ４７ｃを読出し（ステップ４１０）、その読出した各曲名データを含む応答信号をＬＡＮ回線７を介してカラオケ装置Ａへ送信する（ステップ４２０）。この応答信号の構成を図６（Ｃ）に示す。応答信号１００は、送信先であるカラオケ装置Ａのイーサネットアドレス１０２と、送信元であるカラオケ装置Ｂのイーサネットアドレス１０４と、上記読出した曲名データ１０６とから構成される。
【００４９】
続いて、上記応答信号１００は、カラオケ装置Ａの制御装置２０により受信され（ステップ３２０）、ＲＡＭ４９に一時記憶された後、映像制御回路５４によりモニタ１３，１４に曲名映像として表示される（ステップ３３０）。
たとえば、モニタ１３の表示画面を説明する図１２（Ｃ）に示すように、画面の上部にＢ室の再生状況を示す曲名映像２０４が表示され、画面の下部に歌詞テロップ２０６が表示される。ここでは、図１２（Ｃ）に示すように、Ｂ室では曲番号１８の「赤とんぼ」が既に歌われているため、Ｂ室へ移動した際には、「赤とんぼ」を歌わないようにすることができる。
そして、曲名表示ＯＦＦボタン７７が押されると（ステップ３４０）、曲名映像２０４の表示が消える（ステップ３５０）。
【００５０】
以上のように、本第２実施形態のカラオケ装置１０によれば、他の部屋のカラオケ装置１０において、既に再生された曲、現在再生中の曲および再生が予約された曲それぞれの曲名をモニタ１３，１４に表示することができる。
したがって、自分の部屋から他の部屋へ移動する前に、自分の部屋に居ながらにして予め他の部屋で歌われた曲の曲名を知ることができるため、他の部屋へ移動して歌う場合であっても、その移動した部屋で既に歌われた曲と同じ曲を歌ってしまう事態を回避できる。また、移動した部屋で既に予約されている曲の曲名をも予め知ることができるため、これから歌おうとしている者と同じ曲を先に歌ってしまう事態も回避できる。
【００５１】
また、上記他の部屋の再生状況を表示するための制御は、サーバー８に備えられたＣＰＵ８ａに実行させることもできる。この場合、ＣＰＵ８ａは、各カラオケ装置により再生された曲の曲名データをＨＤＤ８ｄに部屋別に記憶し、その記憶された曲名データをカラオケ装置からの要求に応じて送信する。
さらに、上記各実施形態では、本発明の楽音再生装置としてカラオケボックスで用いられるカラオケ装置を代表に説明したが、レジャーホテルにおいて用いられるカラオケ装置などに適用することもできる。
【００５２】
ところで、ＣＰＵ４４により実行されるステップ３１０が要求側送信処理に、ステップ３２０が要求側受信処理に、ステップ３３０が表示処理にそれぞれ対応し、ステップ４００が応答側受信処理に、ステップ４２０が応答側送信処理にそれぞれ対応する。
【００５３】
【発明の効果】
以上のように、本発明によれば、自分の部屋から他の部屋へ移動する前に、自分の部屋に居ながらにして予め他の部屋で歌われた曲の曲名を知ることができるため、他の部屋へ移動して歌う場合であっても、その移動した部屋で既に歌われた曲と同じ曲を歌ってしまう事態を回避できる。また、移動した部屋で既に予約されている曲の曲名をも予め知ることができるため、これから歌おうとしている者と同じ曲を先に歌ってしまう事態も回避できる。さらに、各部屋で重複した曲が歌われることをなくすことができるため、曲名の異なる曲を従来より多く歌うことができる。
【図面の簡単な説明】
【図１】  本発明実施形態のカラオケボックスの主要構成を示すブロック図である。
【図２】  本発明実施形態のカラオケ装置の外観説明図である。
【図３】  （Ａ）は、カラオケ装置に備えられた制御装置の前面パネルの説明図であり、（Ｂ）は、制御装置の背面パネルの説明図である。
【図４】  制御装置の制御系の構成を示すブロック図である。
【図５】  カラオケ装置に備えられた送信器の説明図である。
【図６】  （Ａ）は、曲データの構成を示す説明図であり、（Ｂ）は、カラオケ装置Ａからカラオケ装置Ｂへ送信される要求信号の構成を示す説明図であり、（Ｃ）は、カラオケ装置Ｂからカラオケ装置Ａへ送信される応答信号の構成を示す説明図である。
【図７】  （Ａ）は、サーバー８に備えられたＨＤＤ８ｄの記憶内容を示す説明図であり、（Ｂ）は、制御装置２０に備えられたＲＡＭ４７の記憶内容を示す説明図である。
【図８】  選曲から予約曲が再生されるまでのＣＰＵ４４のメインルーチンを示すフローチャートである。
【図９】  本発明第１実施形態のステップ１８０で実行される曲名データ記憶処理の内容を示すフローチャートである。
【図１０】  本発明第１実施形態のステップ１９０で実行される曲名表示処理の内容を示すフローチャートである。
【図１１】  本発明第２実施形態のカラオケ装置Ａとカラオケ装置Ｂとの間で行われる通信制御の内容を示すフローチャートである。
【図１２】  （Ａ）および（Ｂ）は、モニタ１３の画面表示内容を示す説明図であり、（Ｃ）は、モニタ１３にＢ室の再生状況が表示された状態を示す説明図である。
【図１３】  モニタ１３に表示される背景映像および歌詞テロップの説明図である。
【符号の説明】
１          カラオケボックス
６          ＣＤ−ＲＯＭプレーヤ
７          ＬＡＮ回線
８          サーバー
８ｄ        ＨＤＤ
１０          カラオケ装置
１１，１２    スピーカ
１３，１４    モニタ
１６          アンプ
１７，１８    マイク
２０          制御装置
４４          ＣＰＵ
４７          ＲＡＭ
【図１】
0003958395.tif 000002
【図２】
0003958395.tif 000003
【図３】
0003958395.tif 000004
【図４】
0003958395.tif 000005
【図５】
0003958395.tif 000006
【図６】
0003958395.tif 000007
【図７】
0003958395.tif 000008
【図８】
0003958395.tif 000009
【図９】
0003958395.tif 000010
【図１０】
0003958395.tif 000011
【図１１】
0003958395.tif 000012
【図１２】
0003958395.tif 000013
【図１３】
0003958395.tif 000014